【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
モータハウジングと、
前記モータハウジングの内面に固定された一対のマグネットと、
前記モータハウジングに回転自在に支持された回転軸と前記回転軸に固定されたアマチュアコアと前記アマチュアコアに巻装された巻線とを備え、前記一対のマグネット間に配置されたアマチュアとからなる電動モータであって、
前記アマチュアコアは回転軸に固定されたボス部と前記ボス部から突出する１０個のティースとを備え、前記１０個のティースは全て前記回転軸の円周方向に傾斜していることを特徴とする電動モータ。
【請求項２】
請求項１記載の電動モータにおいて、
前記回転軸の円周方向の同一方向に傾斜した互いに隣接する３つのティースからなる第１のティース群と、
前記第１のティース群の一方に隣接し、前記第１のティース群の傾斜方向とは反対方向に傾斜した互いに隣接する２つのティースからなる第２のティース群と、
前記第１のティース群の他方に隣接し、前記第１のティース群の傾斜方向とは反対方向に傾斜した互いに隣接する２つのティースからなる第３のティース群と、
前記第１のティース群に前記回転軸を中心として点対称に配置され、前記第１のティース群の傾斜方向と同一方向に傾斜した互いに隣接する３つのティースからなる第４のティース群とを有することを特徴とする電動モータ。
【請求項３】
請求項２記載の電動モータにおいて、
前記ティースのそれぞれは先端側において互いに周方向逆向きに延出した第１および第２の係止部を有し、
前記第１および第４のティース群においては前記第１の係止部の長さに比して前記第２の係止部の長さが長く、
前記第２および第３のティース群においては前記第２の係止部の長さに比して前記第１の係止部の長さが長いことを特徴とする電動モータ。
【請求項４】
電動モータのアマチュアに使用されるアマチュアコアであって、
回転軸に固定されるボス部と、
前記ボス部から突出する１０個のティースとを備え、
前記１０個のティースは全て前記回転軸の円周方向に傾斜していることを特徴とするアマチュアコア。
【請求項５】
請求項４記載のアマチュアコアにおいて、
前記回転軸の円周方向の同一方向に傾斜した互いに隣接する３つのティースからなる第１のティース群と、
前記第１のティース群の一方に隣接し、前記第１のティース群の傾斜方向とは反対方向に傾斜した互いに隣接する２つのティースからなる第２のティース群と、
前記第１のティース群の他方に隣接し、前記第１のティース群の傾斜方向とは反対方向に傾斜した互いに隣接する２つのティースからなる第３のティース群と、
前記第１のティース群に前記回転軸を中心として点対称に配置され、前記第１のティース群の傾斜方向と同一方向に傾斜した互いに隣接する３つのティースからなる第４のティース群とを有することを特徴とするアマチュアコア。
【請求項６】
請求項５記載のアマチュアコアにおいて、
前記ティースのそれぞれは先端側において互いに周方向逆向きに延出した第１および第２の係止部を有し、
前記第１および第４のティース群においては前記第１の係止部の長さに比して前記第２の係止部の長さが長く、
前記第２および第３のティース群においては前記第２の係止部の長さに比して前記第１の係止部の長さが長いことを特徴とするアマチュアコア。
【手続補正２】
【補正対象書類名】明細書
【補正対象項目名】０００９
【補正方法】変更
【補正の内容】
【０００９】
本発明の電動モータは、モータハウジングと、前記モータハウジングの内面に固定された一対のマグネットと、前記モータハウジングに回転自在に支持された回転軸と前記回転軸に固定されたアマチュアコアと前記アマチュアコアに巻装された巻線とを備え、前記一対のマグネット間に配置されたアマチュアとからなる電動モータであって、前記アマチュアコアは回転軸に固定されたボス部と前記ボス部から突出する１０個のティースとを備え、前記１０個のティースは全て前記回転軸の円周方向に傾斜していることを特徴とする。
【手続補正３】
【補正対象書類名】明細書
【補正対象項目名】００１０
【補正方法】変更
【補正の内容】
【００１０】
本発明の電動モータは、前記回転軸の円周方向の同一方向に傾斜した互いに隣接する３つのティースからなる第１のティース群と、前記第１のティース群の一方に隣接し、前記第１のティース群の傾斜方向とは反対方向に傾斜した互いに隣接する２つのティースからなる第２のティース群と、前記第１のティース群の他方に隣接し、前記第１のティース群の傾斜方向とは反対方向に傾斜した互いに隣接する２つのティースからなる第３のティース群と、前記第１のティース群に前記回転軸を中心として点対称に配置され、前記第１のティース群の傾斜方向と同一方向に傾斜した互いに隣接する３つのティースからなる第４のティース群とを有することを特徴とする。
【手続補正４】
【補正対象書類名】明細書
【補正対象項目名】００１１
【補正方法】変更
【補正の内容】
【００１１】
本発明の電動モータは、前記ティースのそれぞれは先端側において互いに周方向逆向きに延出した第１および第２の係止部を有し、前記第１および第４のティース群においては前記第１の係止部の長さに比して前記第２の係止部の長さが長く、前記第２および第３のティース群においては前記第２の係止部の長さに比して前記第１の係止部の長さが長いことを特徴とする。
本発明のアマチュアコアは、電動モータのアマチュアに使用されるアマチュアコアであって、回転軸に固定されるボス部と、前記ボス部から突出する１０個のティースとを備え、前記１０個のティースは全て前記回転軸の円周方向に傾斜していることを特徴とする。
本発明のアマチュアコアは、前記回転軸の円周方向の同一方向に傾斜した互いに隣接する３つのティースからなる第１のティース群と、前記第１のティース群の一方に隣接し、前記第１のティース群の傾斜方向とは反対方向に傾斜した互いに隣接する２つのティースからなる第２のティース群と、前記第１のティース群の他方に隣接し、前記第１のティース群の傾斜方向とは反対方向に傾斜した互いに隣接する２つのティースからなる第３のティース群と、前記第１のティース群に前記回転軸を中心として点対称に配置され、前記第１のティース群の傾斜方向と同一方向に傾斜した互いに隣接する３つのティースからなる第４のティース群とを有することを特徴とする。
本発明のアマチュアコアは、前記ティースのそれぞれは先端側において互いに周方向逆向きに延出した第１および第２の係止部を有し、前記第１および第４のティース群においては前記第１の係止部の長さに比して前記第２の係止部の長さが長く、前記第２および第３のティース群においては前記第２の係止部の長さに比して前記第１の係止部の長さが長いことを特徴とする。
【手続補正５】
【補正対象書類名】明細書
【補正対象項目名】００２８
【補正方法】変更
【補正の内容】
【００２８】
ティースＴ１〜Ｔ１０は、その先端部に該先端部から周方向に延びるとともに先端が鋭角に形成される係止部４２を有しており、全体として略Ｔ字状に形成されている。また、第１のティース群を構成するティースＴ１，Ｔ２，Ｔ３と第４のティース群を構成するＴ６，Ｔ７，Ｔ８は径方向に対して図２中反時計回り方向に傾斜し、第２のティース群を構成するティースＴ４，Ｔ５と第３のティース群を構成するＴ９，Ｔ１０は径方向に対して図２中時計回り方向に傾斜しており、さらに、各ティースＴ１〜Ｔ１０の係止部４２は周方向の幅寸法が全て同一であるとともに周方向に等間隔に配置されている。さらに、各係止部４２は、それぞれ互いに周方向逆向きに延出する第１の係止部４２ａと第２の係止部４２ｂとを有し、第１と第４のティース群つまりティースＴ１，Ｔ２，Ｔ３，Ｔ６，Ｔ７，Ｔ８においては第１の係止部４２ａの長さに比して第２の係止部４２ｂの周方向の長さが長く、第２と第３のティース群つまりティースＴ４，Ｔ５，Ｔ９，Ｔ１０においては第２の係止部４２ｂの長さに比して第１の係止部４２ａの周方向の長さが長くなっている。これにより、このアマチュアコア１７に形成されるスロットＳ１〜Ｓ１０は形状の異なる４種類が設けられることになる。以下に各スロットＳ１〜Ｓ１０の形状について説明する。
【手続補正６】
【補正対象書類名】図面
【補正対象項目名】図２
【補正方法】変更
【補正の内容】
【図２】
2005080479.tif 000001